(57)【要約】【課題】  ヒンジ部が断裂した場合であっても、固定用樹脂装置としての機能を極力損なわないようにする固定用樹脂装置を提供すること。【解決手段】  この固定用樹脂装置Ｂでは、第１の把持部材１０及び第２の把持部材２０は、それぞれの一端側に設けられたヒンジ部２５と、それぞれの他端側に設けられた第１の係止部としての係止片１１，２１とにより連結され、第１の把持部材１０及び第２の把持部材２０それぞれの一端側には更に第２の係止部としての係止片４０及び凹部１０ａを備える。【選択図】  図１
2007270962.tif 000002
【特許請求の範囲】
【請求項１】
第１の把持部材と第２の把持部材とによって被把持物を把持する固定用樹脂装置であって、
前記第１の把持部材及び前記第２の把持部材は、それぞれの一端側に設けられたヒンジ部と、それぞれの他端側に設けられた第１の係止部とにより連結され、
前記第１の把持部材及び前記第２の把持部材それぞれの一端側には更に第２の係止部を備える、固定用樹脂装置。
【請求項２】
前記第１の把持部材と前記第２の把持部材とが互いに離隔するように付勢する付勢手段を備える、請求項１に記載の固定用樹脂装置。
【請求項３】
前記第１の把持部材及び前記第２の把持部材の少なくとも一方に、当該固定用樹脂装置を固定する固定手段を備える、請求項１又は２に記載の固定用樹脂装置。
【請求項４】
前記第１の把持部材及び前記第２の把持部材の少なくとも一方の前記被把持物に接する部分に緩衝材を設けてなる、請求項１〜３のいずれか１項に記載の固定用樹脂装置。
【発明の詳細な説明】
【技術分野】
【０００１】
本発明は、固定用樹脂装置に関する。
【背景技術】
【０００２】
電線といった被保持物を保持する固定用樹脂装置の一つとして、環状になる部分で被保持物を保持する樹脂製のクランプが提案されている（例えば、下記特許文献１参照）。
【特許文献１】特開２００１−３３６５０９号公報
【発明の開示】
【発明が解決しようとする課題】
【０００３】
上記特許文献１に記載されているクランプは、クランプを構成する基部と保持部とをヒンジ部及び係合部材によって係合することで被保持物を保持するものである。クランプが樹脂成形品によって構成される場合、ヒンジ部は、樹脂厚みを薄くした部分によって構成される場合がある。
【０００４】
このように樹脂厚みを薄くしたヒンジ部を設けた場合、クランプは閉じやすくなる。しかしながら、クランプを何度も開閉する場合には、ヒンジ部がその繰り返しにより劣化し、閉じた状態で破損しなくても、その状態で振動及び衝撃が加わり続けると、ヒンジ部が完全に破断（断裂）し、クランプを閉じた状態が保持できなくなる可能性がある。また、クランプは通常、溶かした樹脂材料を金型に流し込んで形成・製造されるが、樹脂の流れ込みが不均一の場合、欠陥が生じることがある。特にヒンジ部のように薄い箇所は欠陥が生じた場合に亀裂となる場合もあり、閉じた状態で破損しなくても、その状態で振動及び衝撃が加わり続けると、ヒンジ部が完全に破断（断裂）し、クランプを閉じた状態が保持できなくなる可能性がある。
【０００５】
そこで本発明では、繰り返し使用してヒンジ部が断裂した場合であっても、固定用樹脂装置としての機能を極力損なわないようにする固定用樹脂装置を提供することを目的とする。
【課題を解決するための手段】
【０００６】
本発明に係る固定用樹脂装置は、第１の把持部材と第２の把持部材とによって被把持物を把持する固定用樹脂装置であって、第１の把持部材及び第２の把持部材は、それぞれの一端側に設けられたヒンジ部と、それぞれの他端側に設けられた第１の係止部とにより連結され、第１の把持部材及び第２の把持部材それぞれの一端側には更に第２の係止部を備える。
【０００７】
本発明に係る固定用樹脂装置によれば、ヒンジ部が形成されている一端側に、更に第２の係止部を備えているので、例えばヒンジ部が断裂した場合であっても第２の係止部により一端側が係止され、被把持物の把持を継続することができる。
【０００８】
また本発明の固定用樹脂装置では、第１の把持部材と第２の把持部材とを互いに離隔するように付勢する付勢手段を備えることも好ましい。第１の把持部材と第２の把持部材とを互いに引き離す方向の力を受けるので、第１の係止部及び第２の係止部による連結がより強固になる。
【０００９】
また本発明の固定用樹脂装置では、第１の把持部材及び第２の把持部材の少なくとも一方に、当該固定用樹脂装置を固定する固定手段を備えることも好ましい。固定手段を設けているので、固定用樹脂装置を壁面や躯体といった保持面に保持できる。
【００１０】
また本発明の固定用樹脂装置では、第１の把持部材及び第２の把持部材の少なくとも一方の被把持物に接する部分に緩衝材を設けてなることも好ましい。被把持物に接する部分に緩衝材を設けているので、被把持物を傷つけずに把持できる。
【発明の効果】
【００１１】
本発明によれば、繰り返し開閉してヒンジ部が断裂した場合であっても、固定用樹脂装置としての機能を極力損なわないようにできる。
【発明を実施するための最良の形態】
【００１２】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
図１及び図２を参照しながら、実施形態に係る固定用樹脂装置Ｂの構成を説明する。図１は、本実施形態に係る固定用樹脂装置Ｂを示す正面図及び側面図である。図１の（ａ）は固定用樹脂装置Ｂの左側面図、図１の（ｂ）は固定用樹脂装置Ｂの正面図、図１の（ｃ）は固定用樹脂装置Ｂの右側面図である。図２は、図１に示した固定用樹脂装置Ｂを閉じた状態を示す正面図である。
【００１４】
固定用樹脂装置Ｂは、第１の把持部材１０と第２の把持部材２０とにより構成され、合成樹脂製である。第１の把持部材１０及び第２の把持部材は、被把持物としてのケーブル等を把持できるように湾曲している。
【００１５】
第１の把持部材１０は、半円形状に湾曲した部材である。第１の把持部材１０の一端側にはヒンジ部２５が設けられており、ヒンジ部２５を介して第２の把持部材２０と連結されている。
【００１６】
第１の把持部材１０の他端側には、係止片１１（第１の係止部）が第１の把持部材１０の他端に沿うように設けられている。係止片１１は、第１の把持部材１０が湾曲する外側の壁面に沿って設けられている。したがって、係止片１１と第１の把持部材１０との間には凹部１２（第１の係止部）が形成されている。係止片１１の先端近傍には凹部１２側に突出する突起１１ａ（第１の係止部）が設けられている。
【００１７】
第１の把持部材１０の一端側には更に、凹部１０（第２の係止部）が設けられている。凹部１０は、第１の把持部材１０が湾曲する内側の壁面の一部を後退させることで形成されている。
【００１８】
第１の把持部材１０の略中央部には、鉤状突出片３２（固定手段）が設けられている。鉤状突出片３２は、第１の把持部材１０が湾曲する外側の壁面から突出して設けられている。また、第１の把持部材１０には、鉤状突出片３２を挟むように、突出片３０，３１（固定手段）が設けられている。突出片３０，３１（固定手段）は、第１の把持部材１０が湾曲する外側の壁面から突出して設けられている。
【００１９】
第２の把持部材２０は、半円形状に湾曲した部材である。第２の把持部材２０の一端側にはヒンジ部２５が設けられており、ヒンジ部２５を介して第１の把持部材１０と連結されている。
【００２０】
第２の把持部材２０の他端側先端には、係止片２１（第１の係止部）が設けられている。第２の把持部材２０の他端を第１の把持部材１０の他端に当接させると、係止片２１は凹部１２に収まる。係止片２１には凹部２１ａが設けられている。係止片２１が凹部１２に収まると、凹部２１ａには突起１１ａが入り込んで、第１の把持部材１０と第２の把持部材２０とが連結される。
【００２１】
第２の把持部材２０の一端側には更に、係止片４０（第２の係止部）が設けられている。第２の把持部材２０の他端を第１の把持部材１０の他端に当接させると、係止片４０は第１の把持部材１０の凹部１０ａ（第２の係止部）に入り込む。
【００２２】
図３に示すように、凹部１０ａの図３における上側側壁１０ｂは凹部１０ａの底面に向けて徐々に後退するように形成されている。また、係止片４０の先端には凸部４０ａが設けられている。凸部４０ａは、その先端が根元よりも太くなるように、側壁４０ｂが傾斜して形成されている。従って、凹部１０ａに係止片４０が入り込むと、上側側壁１０ｂと側壁４０ｂとによってより強固に連結される。
【００２３】
上述したように、第１の把持部材１０と第２の把持部材２０とは、ヒンジ部２５と係止片１１，２１（第１の係止部）とにより連結される。第１の把持部材１０と第２の把持部材２０とは、更に第２の係止部によって連結されている。第２の係止部は、係止片４０と、凹部１０ａとを含んでいる。
【００２４】
本実施形態に示した係止片４０及び凹部１０ａの形態に限らず、ヒンジ部２５が形成されている近傍において第１の把持部材１０と第２の把持部材２０とが嵌合する手段を設けることができる。例えば、第１の把持部材１０と第２の把持部材２０との外側において係止片４０と凹部１０ａとが嵌合するように形成してもよい。
【００２５】
また、例えば、係止片４０及び凹部１０ａを複数箇所に設けてもよい。係止片４０を第１の把持部材１０に、凹部１０ａを第２の把持部材２０にそれぞれ設けてもよい。この例を図４，５，６，７に示す。
【００２６】
図４に示す固定用樹脂装置Ｂ１は、図１，２に示す固定用樹脂装置Ｂと同様に、第１の把持部材１０１と、第２の把持部材２０１とを備えている。第１の把持部材１０１の一端側と第２の把持部材２０１の一端側はヒンジ部２５で連結されている。
【００２７】
第１の把持部材１０１の他端側には、ゲート状の係止部１１１（第１の係止部）が設けられている。また、第２の把持部材２０１の他端側には、突起部２１１（第１の係止部）が設けられている。第１の把持部材１０１の他端と第２の把持部材２０１の他端とを接するように閉じると、突起部２１１が係止部１１１にはまり込んで、第１の把持部材１０１と第２の把持部材２０１との他端が連結される。
【００２８】
更に、第２の把持部材２０１の一端側には、ヒンジ部２５を挟んで一対の凹部１０１ａ，１０１ａ（第２の係止部）が設けられている。この一対の凹部１０１ａ，１０１ａに対応するように、第１の把持部材１０１には一対の係止片４０１，４０１（第２の係止部）が設けられている。
【００２９】
第１の把持部材１０１の他端と第２の把持部材２０１の他端とを接するように閉じると、係止片４０１，４０１が凹部１０１ａ，１０１ａにはまり込んで、第１の把持部材１０１と第２の把持部材２０１との一端が連結される。従って、固定用樹脂装置Ｂ１によって、ケーブルＣが強固に保持できる。
【００３０】
図５に示す固定用樹脂装置Ｂ２は、図１，２に示す固定用樹脂装置Ｂと同様に、第１の把持部材１０２と、第２の把持部材２０２とを備えている。第１の把持部材１０２の一端側と第２の把持部材２０２の一端側はヒンジ部２５で連結されている。
【００３１】
第１の把持部材１０２の他端側には、ゲート状の係止部１１２（第１の係止部）が設けられている。また、第２の把持部材２０２の他端側には、突起部２１２（第１の係止部）が設けられている。第１の把持部材１０２の他端と第２の把持部材２０２の他端とを接するように閉じると、突起部２１２が係止部１１２にはまり込んで、第１の把持部材１０２と第２の把持部材２０２との他端が連結される。
【００３２】
更に、第２の把持部材２０２の一端側には、ヒンジ部２５を挟んで一対の凹部１０２ａ，１０２ａ（第２の係止部）が設けられている。一対の凹部１０２ａ，１０２ａは、第２の保持部材２０２の両側面に臨むように開口されている。この一対の凹部１０２ａ，１０２ａに対応するように、第１の把持部材１０２には一対の係止片４０２，４０２（第２の係止部）が設けられている。
【００３３】
第１の把持部材１０２の他端と第２の把持部材２０２の他端とを接するように閉じると、係止片４０２，４０２が凹部１０２ａ，１０２ａにはまり込んで、第１の把持部材１０２と第２の把持部材２０２との一端が連結される。従って、固定用樹脂装置Ｂ２によって、ケーブルＣが強固に保持できる。
【００３４】
図６に示す固定用樹脂装置Ｂ３は、図１，２に示す固定用樹脂装置Ｂと同様に、第１の把持部材１０３と、第２の把持部材２０３とを備えている。第１の把持部材１０３の一端側と第２の把持部材２０３の一端側はヒンジ部２５で連結されている。
【００３５】
第１の把持部材１０３の他端側には、ゲート状の係止部１１３（第１の係止部）が設けられている。また、第２の把持部材２０３の他端側には、突起部２１３（第１の係止部）が設けられている。第１の把持部材１０３の他端と第２の把持部材２０３の他端とを接するように閉じると、突起部２１３が係止部１１３にはまり込んで、第１の把持部材１０３と第２の把持部材２０３との他端が連結される。
【００３６】
更に、第２の把持部材２０３の一端側には、ヒンジ部２５を挟んで一対の凹部１０３ａ，１０３ａ（第２の係止部）が設けられている。この一対の凹部１０３ａ，１０３ａに対応するように、第１の把持部材１０３には一対の係止片４０３，４０３（第２の係止部）が設けられている。
【００３７】
第１の把持部材１０３の他端と第２の把持部材２０３の他端とを接するように閉じると、係止片４０３，４０３が凹部１０３ａ，１０３ａにはまり込んで、第１の把持部材１０３と第２の把持部材２０３との一端が連結される。
【００３８】
図７に示す固定用樹脂装置Ｂ４は、図１，２に示す固定用樹脂装置Ｂと同様に、第１の把持部材１０４と、第２の把持部材２０４とを備えている。第１の把持部材１０４の一端側と第２の把持部材２０４の一端側はヒンジ部２５で連結されている。第１の把持部材１０４及び第２の把持部材２０４は、複数のケーブルＣを把持するようにケーブルＣが延びる方向と交わる方向において固定用樹脂装置Ｂよりも長く形成されている。
【００３９】
第１の把持部材１０４の他端側には、ゲート状の係止部１１４（第１の係止部）が設けられている。また、第２の把持部材２０４の他端側には、突起部２１４（第１の係止部）が設けられている。第１の把持部材１０４の他端と第２の把持部材２０４の他端とを接するように閉じると、突起部２１４が係止部１１４にはまり込んで、第１の把持部材１０４と第２の把持部材２０４との他端が連結される。
【００４０】
更に、第２の把持部材２０４の一端側には、ヒンジ部２５を挟んで一対の凹部１０４ａ，１０４ａ（第２の係止部）が設けられている。この一対の凹部１０４ａ，１０４ａに対応するように、第１の把持部材１０４には一対の係止片４０４，４０４（第２の係止部）が設けられている。
【００４１】
第１の把持部材１０４の他端と第２の把持部材２０４の他端とを接するように閉じると、係止片４０４，４０４が凹部１０４ａ，１０４ａにはまり込んで、第１の把持部材１０４と第２の把持部材２０４との一端が連結される。従って、固定用樹脂装置Ｂ４によって、複数のケーブルＣが強固に保持できる。また、固定用樹脂装置Ｂ４によれば、フラットケーブルも強固に保持できる。
【００４２】
本実施形態によれば、ヒンジ部２５が形成されている一端側に、更に第２の係止部として機能する係止片４０及び凹部１０ａを備えているので、例えばヒンジ部２５が断裂した場合であっても係止片４０及び凹部１０ａにより一端側が係止され、被把持物の把持を継続することができる。
【図面の簡単な説明】
【００４３】
【図１】本実施形態に係る固定用樹脂装置を示す図である。
【図２】本実施形態に係る固定用樹脂装置を示す図である。
【図３】固定用樹脂装置の第２の係止部を説明するための図である。
【図４】本実施形態に係る固定用樹脂装置の変形例を示す図である。
【図５】本実施形態に係る固定用樹脂装置の変形例を示す図である。
【図６】本実施形態に係る固定用樹脂装置の変形例を示す図である。
【図７】本実施形態に係る固定用樹脂装置の変形例を示す図である。
【符号の説明】
【００４４】
１０…第１の把持部材、１０ａ…凹部、１１…係止片、１１ａ…突起、１２…凹部、２０…第２の把持部材、２１…係止片、２１ａ…凹部、２５…ヒンジ部、４０…係止片、３０，３１…突出片、３２…鉤状突出片。
【図１】
2007270962.tif 000003
【図２】
2007270962.tif 000004
【図３】
2007270962.tif 000005
【図４】
2007270962.tif 000006
【図５】
2007270962.tif 000007
【図６】
2007270962.tif 000008
【図７】
2007270962.tif 000009